(57)【特許請求の範囲】
【請求項１】
互いに対向する第１主面および第２主面を有する半導体基板と、
前記半導体基板の前記第１主面側に形成された絶縁ゲート型バイポーラトランジスタの絶縁ゲート型電界効果トランジスタ部と、
前記半導体基板の前記第１主面に形成された還流ダイオードの第１導電型のアノード領域と、
前記半導体基板の前記第２主面に形成された前記絶縁ゲート型バイポーラトランジスタの第１導電型のコレクタ領域と、
前記半導体基板の前記第２主面に形成された前記還流ダイオードの第２導電型のカソード領域と、
前記コレクタ領域および前記カソード領域の双方に接するように前記第２主面上に形成され、かつ前記第２主面側から順に積層されたチタン層、ニッケル層および金層を有する裏面電極とを備え、
前記コレクタ領域における第１導電型の不純物の前記第２主面からの拡散深さは１．０μｍ以下であり、かつ前記コレクタ領域の第１導電型の不純物は３．０×１０19ｃｍ-3以上のピーク濃度を有し、
前記裏面電極の前記チタン層は前記コレクタ領域および前記カソード領域の双方にオーミック接触している、半導体装置。
【請求項２】
前記コレクタ領域の第１導電型の不純物は、前記第２主面から０．２μｍ以下の拡散深さにおいては全体的に１．０×１０19ｃｍ-3以上の濃度を有していることを特徴とする、請求項１に記載の半導体装置。
【請求項３】
半導体基板の第１主面側に絶縁ゲート型バイポーラトランジスタの絶縁ゲート型電界効果トランジスタ部と、還流ダイオードの第１導電型のアノード領域とを形成する工程と、
前記半導体基板の前記第１主面に対向する第２主面を研磨する工程と、
前記半導体基板の前記第２主面に、前記絶縁ゲート型バイポーラトランジスタの第１導電型のコレクタ領域を形成する工程と、
前記半導体基板の前記第２主面に、前記還流ダイオードの第２導電型のカソード領域を形成する工程と、
前記コレクタ領域および前記カソード領域との双方に接するように前記第２主面上に、チタン層、ニッケル層および金層を前記第２主面側から順に積層することで裏面電極を形成する工程とを備え、
前記コレクタ領域における第１導電型の不純物の前記第２主面からの拡散深さが１．０μｍ以下であり、かつ前記コレクタ領域の第１導電型の不純物が３．０×１０19ｃｍ-3以上のピーク濃度を有するように前記コレクタ領域は形成され、
前記裏面電極の前記チタン層は前記コレクタ領域および前記カソード領域の双方にオーミック接触するように形成される、半導体装置の製造方法。
【請求項４】
前記研磨後に前記半導体基板に放射線を照射する工程と、
前記放射線の照射後であって前記裏面電極の形成前に、前記半導体基板に熱処理を加える工程とをさらに備えることを特徴とする、請求項３に記載の半導体装置の製造方法。
【請求項５】
前記コレクタ領域を形成する工程は前記半導体基板の前記第２主面に第１導電型の不純物をイオン注入する工程を有し、
前記カソード領域を形成する工程は前記半導体基板の前記第２主面に第２導電型の不純物をイオン注入する工程を有することを特徴とする、請求項３または４に記載の半導体装置の製造方法。
【請求項６】
前記コレクタ領域にイオン注入された前記第１導電型の不純物と前記カソード領域にイオン注入された前記第２導電型の不純物とが同じ熱処理により活性化されることを特徴とする、請求項５に記載の半導体装置の製造方法。
【請求項７】
前記コレクタ領域にイオン注入された前記第１導電型の不純物と前記カソード領域にイオン注入された前記第２導電型の不純物との活性化のための熱処理はレーザーアニールにより行なわれることを特徴とする、請求項６に記載の半導体装置の製造方法。
【発明の詳細な説明】
【技術分野】
【０００１】
本発明は、半導体装置およびその製造方法に関し、特に、絶縁ゲート型バイポーラトランジスタと還流ダイオードとを有する半導体装置およびその製造方法に関するものである。
【背景技術】
【０００２】
近年、省エネルギの観点から、家電製品や産業用電力装置の制御などにインバータ回路が広く用いられるようになってきている。インバータ回路は、パワー半導体デバイスにより、電圧または電流のオンとオフを繰返すことにより電力の制御を行なっている。このインバータ回路には、定格電圧が３００Ｖ以上では、その特性から絶縁ゲート型バイポーラトランジスタ（Insulated  Gate  Bipolar  Transistor：以下「ＩＧＢＴ」と略記する）が主に用いられている。
【０００３】
インバータ回路は、主に誘導モータなどの誘導性負荷を駆動する場合が多いが、その場合、誘導性負荷から逆起電力が発生する。このため、その逆起電力から生じる電流を還流させるための還流ダイオード（Free  Wheel  Diode）が必要となる。通常のインバータ回路は、ＩＧＢＴと還流ダイオードとが逆並列に接続されたもの（逆導通ＩＧＢＴ：Reverse  Conducting  IGBT）から構成されている。このインバータ装置の小型軽量化を目指して、還流ダイオードとＩＧＢＴとが一体的されて１チップ化された半導体装置の開発が進められつつある。
【０００４】
従来、このようなＩＧＢＴと還流ダイオードとが一体化されて１チップ化された半導体装置は、たとえば特開平６−８５２６９号公報、特開平６−１９６７０５号公報、特開２００５−５７２３５号公報などに提案されている。
【先行技術文献】
【特許文献】
【０００５】
【特許文献１】特開平６−８５２６９号公報
【特許文献２】特開平６−１９６７０５号公報
【特許文献３】特開２００５−５７２３５号公報
【発明の概要】
【発明が解決しようとする課題】
【０００６】
逆導通ＩＧＢＴにおいて、半導体基板の表面側にはＩＧＢＴの絶縁ゲート型電界効果トランジスタ部と還流ダイオードのアノード領域とが形成され、裏面側にはＩＧＢＴのコレクタ領域と還流ダイオードのカソード領域とが形成されている。そして、そのコレクタ領域とカソード領域との双方に電気的に接続するように裏面電極が半導体基板の裏面上に形成されている。
【０００７】
この裏面電極は、従来、半導体基板の裏面側からＡｌ（アルミニウム）、Ｍｏ（モリブデン）、Ｎｉ（ニッケル）およびＡｕ（金）の順に積層された構成を有している。この裏面電極Ａｌ／Ｍｏ／Ｎｉ／Ａｕはｐ型不純物とは良好なオーミック接触を形成できる。このため、ＩＧＢＴの絶縁ゲート型電界効果トランジスタ部の導通時には良好なオン電圧が得られる。
【０００８】
しかし裏面電極Ａｌ／Ｍｏ／Ｎｉ／Ａｕはｎ型不純物とは良好なオーミック接触を形成しにくい。このため、還流ダイオードの導通時にはオン電圧が悪化してしまうという問題があった。
【０００９】
また逆導通ＩＧＢＴでは、電子線、γ線、中性子線、イオン線などの放射線を半導体ウエハに照射してライフタイムコントロールを行なう必要がある。また裏面電極Ａｌ／Ｍｏ／Ｎｉ／Ａｕと半導体基板のオーミック接触を良好にするために、裏面電極の形成後に半導体ウエハに熱処理を加える必要がある。
【００１０】
しかし逆導通ＩＧＢＴの半導体ウエハは、裏面研磨後において厚みが薄くなる。このため裏面電極の形成後に熱処理を加えると、シリコンと裏面電極との熱膨張率の違いにより、半導体ウエハに反りが生じ、量産性が悪化するという問題があった。
【００１１】
それゆえ本発明の一の目的は、絶縁ゲート型電界効果トランジスタ部の導通時および還流ダイオードの導通時のいずれにおいても良好なオン電圧を得ることのできる半導体装置およびその製造方法を提供することである。
【００１２】
また本発明の他の目的は、熱処理による反りの生じにくい半導体装置およびその製造方法を提供することである。
【課題を解決するための手段】
【００１３】
本発明の半導体装置は、半導体基板と、絶縁ゲート型バイポーラトランジスタの絶縁ゲート型電界効果トランジスタ部および第１導電型のコレクタ領域と、還流ダイオードの第１導電型のアノード領域および第２導電型のカソード領域と、裏面電極とを備えている。半導体基板は、互いに対向する第１主面および第２主面を有している。絶縁ゲート型電界効果トランジスタ部は、半導体基板の第１主面側に形成されている。アノード領域は、半導体基板の第１主面に形成されている。コレクタ領域は、半導体基板の第２主面に形成されている。カソード領域は、半導体基板の第２主面に形成されている。裏面電極は、コレクタ領域およびカソード領域の双方に接するように第２主面上に形成され、かつ第２主面側から順に積層されたチタン層、ニッケル層および金層を有している。裏面電極のチタン層はコレクタ領域およびカソード領域の双方にオーミック接触している。
【００１４】
本発明の半導体装置の製造方法は以下の工程を有している。
まず半導体基板の第１主面側に絶縁ゲート型バイポーラトランジスタの絶縁ゲート型電界効果トランジスタ部と、還流ダイオードの第１導電型のアノード領域とが形成される。半導体基板の第１主面に対向する第２主面が研磨される。半導体基板の第２主面に、絶縁ゲート型バイポーラトランジスタの第１導電型のコレクタ領域が形成される。半導体基板の第２主面に、還流ダイオードの第２導電型のカソード領域が形成される。コレクタ領域およびカソード領域との双方に接するように第２主面上に、チタン層、ニッケル層および金層を第２主面側から順に積層することで裏面電極が形成される。裏面電極のチタン層はコレクタ領域およびカソード領域の双方にオーミック接触するように形成される。
【発明の効果】
【００１５】
本発明によれば、コレクタ領域およびカソード領域の双方に接するようにチタン層が形成されているため、絶縁ゲート型電界効果トランジスタ部の導通時および還流ダイオードの導通時のいずれにおいても良好なオン電圧を得ることができる。
【００１６】
また上記のように良好なオン電圧を得ることができるため、裏面電極と半導体基板のオーミック接触を良好にするための熱処理を裏面電極形成後に行なう必要がない。このため、この熱処理により半導体基板に反りが生じることもない。
【００１７】
またチタン層上にニッケル層が形成されているため、モジュールへの組み付けにおいて裏面側を接続する際にニッケル層が半田の役割をなし、良好な接続を得ることができる。また酸化しやすいニッケル層上に金層が形成されているため、ニッケル層の酸化を防止することができる。
【図面の簡単な説明】
【００１８】
【図１】本発明の一実施の形態における半導体装置の構成を概略的に示す断面図である。
【図２】図１のＩＩ−ＩＩ線に沿う部分におけるｐ型不純物の濃度分布を示す図である。
【図３】本発明の一実施の形態における半導体装置の製造方法の第１工程を示す概略断面図である。
【図４】本発明の一実施の形態における半導体装置の製造方法の第２工程を示す概略断面図である。
【図５】本発明の一実施の形態における半導体装置の製造方法の第３工程を示す概略断面図である。
【図６】本発明の一実施の形態における半導体装置の製造方法の第４工程を示す概略断面図である。
【図７】本発明の一実施の形態における半導体装置の製造方法の第５工程を示す概略断面図である。
【図８】本発明の一実施の形態における半導体装置の製造方法の第６工程を示す概略断面図である。
【発明を実施するための形態】
【００１９】
以下、本発明の実施の形態について図に基づいて説明する。
図１は、本発明の一実施の形態における半導体装置の構成を概略的に示す断面図である。図１を参照して、本実施の形態の半導体装置は、半導体基板２０のセル領域に形成されたＩＧＢＴと還流ダイオードとを有している。半導体基板２０は、たとえばｎ型の不純物が導入されたシリコンよりなっており、互いに対向する第１主面２０ａおよび第２主面２０ｂを有している。この半導体基板２０は、１５０μｍ以下の厚みを有していることが好ましい。
【００２０】
ＩＧＢＴは、半導体基板２０のｎ-半導体層１と、ｐ型ベース領域２と、ｎ+エミッタ領域３と、トレンチゲート電極５と、ｐ型コレクタ領域９とを主に有している。半導体基板２０のセル領域には、ｎ-半導体層１の第１主面２０ａ側に、ｐ型の不純物を拡散することによりｐ型ベース領域２が選択的に形成されている。ｐ型ベース領域２内の第１主面２０ａには、高濃度のｎ型の不純物を選択的に拡散することによりｎ+エミッタ領域３が選択的に形成されている。半導体基板２０の第１主面２０ａには、ｎ+エミッタ領域３とｐ型ベース領域２とを貫通してｎ-半導体層１に達するように複数のトレンチ４が形成されている。各トレンチ４の内壁に沿ってゲート絶縁層６が形成されており、そのトレンチ４内を充填するようにトレンチゲート電極５が形成されている。このトレンチゲート電極５は、ｎ-半導体層１とｎ+エミッタ領域３とに挟まれたｐ型ベース領域２にゲート絶縁層６を介して対向するように形成されている。
【００２１】
これらのｎ-半導体層１、ｐ型ベース領域２、ｎ+エミッタ領域３およびトレンチゲート電極５により、半導体基板２０の第１主面２０ａ側にＩＧＢＴの絶縁ゲート型電界効果トランジスタ部が構成されている。つまり、ｎ-半導体層１およびｎ+エミッタ領域３が１対のソース／ドレインとして機能し、ゲート絶縁層６を介してトレンチゲート電極５と対向するｐ型ベース領域２の部分（トレンチゲート電極５の周縁部）がチャネルとして機能し、トレンチゲート電極５がそのチャネルの形成を制御するためのゲートとして機能する。
【００２２】
半導体基板２０のセル領域においては、第２主面２０ｂに、ｐ型の不純物を拡散することによりｐ型コレクタ領域９が選択的に形成されている。
【００２３】
還流ダイオードは、半導体基板２０のｎ-半導体層１と、ｐ型ベース領域２と、ｎ型カソード領域１０とを有している。上述のｐ型ベース領域２は還流ダイオードのアノード領域としても機能する。半導体基板２０のセル領域においては、第２主面２０ｂに、ｎ型の不純物を拡散することによりｎ型カソード領域１０が選択的に形成されている。ｎ型カソード領域１０はｐ型コレクタ領域９と隣接するように交互に形成されている。
【００２４】
半導体基板２０の第１主面２０ａ上には、トレンチゲート電極５を覆うとともに、ｐ型ベース領域２とｎ+エミッタ領域３との表面を露出する絶縁層７が形成されている。この露出したｐ型ベース領域２とｎ+エミッタ領域３との表面に接するように、第１主面２０ａ上にはエミッタ電極８が形成されている。このエミッタ電極８は、還流ダイオードのアノード電極も兼ねている。
【００２５】
半導体基板２０の第２主面２０ｂの全面上には裏面電極１４が形成されている。裏面電極１４はセル領域においてｐ型コレクタ領域９およびｎ型カソード領域１０の双方に接している。裏面電極１４は、第２主面２０ｂ側から順に積層されたチタン（Ｔｉ）層１１、ニッケル（Ｎｉ）層１２および金（Ａｕ）層１３を有している。これにより、チタン層１１はｐ型コレクタ領域９およびｎ型カソード領域１０の双方に接している。またニッケル層１２はチタン層１１に接して形成されており、金層１３はニッケル層１２に接して形成されている。この裏面電極１４は、ＩＧＢＴのコレクタ電極であるとともに、還流ダイオードのカソード電極でもある。
【００２６】
チタン層１１はたとえば０．０５μｍ以上０．３μｍ以下の厚みであることが好ましく、ニッケル層１２はたとえば０．３μｍ以上２．０μｍ以下の厚みであることが好ましく、金層１３はたとえば０．０２μｍ以上０．４μｍ以下の厚みであることが好ましい。これにより、逆導通ＩＧＢＴの特性を安定させることができる。
【００２７】
図示していないが、上記のＩＧＢＴと還流ダイオードとを含むセル領域の第１主面２０ａにおける外周を取り囲むようにガードリング領域が形成されている。このガードリング領域はｐ型不純物を拡散することで形成されている。ガードリング領域の表面は絶縁層７で被膜され、その上にガードリング電極が形成されている。
【００２８】
図２は、図１のＩＩ−ＩＩ線に沿う部分におけるｐ型不純物の濃度分布を示す図である。図２を参照して、ｐ型コレクタ領域９はたとえば第２主面（裏面）２０ｂから０．３μｍ程度の深さで形成されており、かつ全体的に１．０×１０19ｃｍ-3以上の濃度を有している。このｐ型コレクタ領域９は第２主面２０ｂから１．０μｍ以下の深さで形成されていることが好ましく、また３．０×１０19ｃｍ-3以上のピーク濃度を有していることが好ましい。
【００２９】
本実施の形態のように裏面電極１４がＴｉ／Ｎｉ／Ａｕの場合、後述するレーザーアニールを用いて、図２に示すようにｐ型コレクタ領域９の拡散深さを１．０μｍ以下とし、かつピーク濃度を３．０×１０19ｃｍ-3以上に制御することで、裏面電極１４と半導体基板２０とのオーミック接触が良好となり、オン電圧の増加をさらに防止することができる。
【００３０】
次に、本実施の形態のＩＧＢＴのオン動作について図１を用いて説明する。
図１を参照して、オン動作させるには、まずエミッタ電極８と裏面電極１４との間に所定の正のコレクタ電圧ＶCEが印加され、エミッタ電極８とトレンチゲート電極５との間に所定の正のゲート電圧ＶGEが印加されてゲートがオン状態とされる。このときトレンチゲート電極５と対向するｐ型ベース領域２の部分がｐ型からｎ型に反転してチャネルが形成され、このチャネルを通じてエミッタ電極８から電子がｎ-半導体層１に注入される。この注入された電子によりｐ型コレクタ領域９とｎ-半導体層１間が順バイアス状態とされ、ｐ型コレクタ領域９からｎ-半導体層１へ正孔（ホール）が注入される。これにより、ｎ-半導体層１の抵抗が大幅に下がり、絶縁ゲート型電界効果トランジスタ部のオン抵抗が大幅に下がり、電流容量は増大する。また、第１主面２０ａに形成された絶縁ゲート型電界効果トランジスタ部の直下の第２主面２０ｂにｐ型コレクタ領域９が形成されることで、電子および正孔（ホール）が注入される経路を最短にすることができ、これによりオン抵抗の上昇が防止されている。
【００３１】
次に、本実施の形態の還流ダイオードのオン動作について図１を用いて説明する。
図１を参照して、エミッタ電極８と裏面電極１４との間に所定のしきい値を越える順バイアス（アノード電圧ＶAK）が印加される。これにより、ｐ型ベース領域２からｎ-半導体層１に正孔（ホール）が注入され、さらにｎ型カソード領域１０から電子が注入され、順方向電圧（ＶF）が大幅に下がり、電流が流れる。また、第１主面２０ａに形成された還流ダイオード領域の直下の第２主面２０ｂにｎ型カソード領域１０が形成されることで、電子および正孔（ホール）が注入される経路を最短にすることができ、これにより順方向電圧（ＶF）の上昇が防止されている。
【００３２】
次に、本実施の形態の半導体装置の製造方法について説明する。
図３〜図８は、本発明の一実施の形態における半導体装置の製造方法を工程順に示す概略断面図である。図３を参照して、ｎ型不純物が導入された単結晶シリコンよりなる半導体基板２０が準備される。この状態において半導体基板２０は全体的にｎ-半導体層１よりなっている。この後、第１主面２０ａにおいてセル領域の外周を取り囲むように、ｎ-半導体層１の表面にｐ型不純物を拡散することでガードリング領域（図示せず）が形成される。
【００３３】
図４を参照して、半導体基板２０の第１主面２０ａに、ＩＧＢＴの絶縁ゲート型電界効果トランジスタ部（ｐ型ベース領域２、ｎ+エミッタ領域３、トレンチ４、ゲート絶縁層６、トレンチゲート電極５）が形成される。このとき、絶縁ゲート型電界効果トランジスタ部のｐ型ベース領域２が還流ダイオードのアノード領域にもなるため、還流ダイオードのアノード領域２も同時に形成される。トレンチゲート電極５およびガードリング領域の上部を覆うとともに、ｐ型ベース領域２およびｎ+エミッタ領域３の表面を露出するように第１主面２０ａ上に絶縁層７が形成される。
【００３４】
図５を参照して、ｐ型ベース領域２およびｎ+エミッタ領域３に接するようにエミッタ電極８が形成されるとともに、ガードリング領域上にはガードリング電極が形成される。この後、半導体基板２０の第２主面２０ｂが研磨される。
【００３５】
図６を参照して、上記の研磨により、半導体基板２０は、たとえば１５０μｍ以下の厚みとされる。この後、ライフタイムコントロールの処理が行なわれる。このライフタイムコントロールの処理は、たとえば電子線、γ線、中性子線、イオン線などの放射線を半導体基板２０に照射することにより行なわれる。
【００３６】
図７を参照して、第２主面２０ｂのセル領域に、たとえば加速電圧２５ｋｅＶ以上２００ｋｅＶ以下で選択的にｐ型の不純物がイオン注入される。これにより、第２主面２０ｂにｐ型コレクタ領域９が選択的に形成される。
【００３７】
図８を参照して、第２主面２０ｂのセル領域に、たとえば加速電圧２５ｋｅＶ以上２００ｋｅＶ以下で選択的にｎ型の不純物がイオン注入される。これにより、第２主面２０ｂにおいてｐ型コレクタ領域９に隣接するようにｎ型カソード領域１０が選択的に形成される。
【００３８】
この後、ｐ型コレクタ領域９にイオン注入されたｐ型の不純物とｎ型カソード領域１０にイオン注入されたｎ型の不純物とが同じ熱処理により活性化される。この活性化のための熱処理はたとえばレーザーアニールにより行なわれる。
【００３９】
図１を参照して、第２主面２０ｂに、チタン層１１、ニッケル層１２および金層１３が第２主面２０ｂ側から順次積層して形成され、これにより裏面電極１４が形成される。チタン層１１はたとえば０．０５μｍ以上０．３μｍ以下の厚みで、ニッケル層１２はたとえば０．３μｍ以上２．０μｍ以下の厚みで、金層１３はたとえば０．０２μｍ以上０．４μｍ以下の厚みで形成される。これにより特性が安定し、図１に示す逆導通ＩＧＢＴが製造される。
【００４０】
本実施の形態によれば、ｐ型コレクタ領域９およびｎ型カソード領域１０の双方に接するようにチタン層１１が形成されているため、絶縁ゲート型電界効果トランジスタ部の導通時および還流ダイオードの導通時のいずれにおいても良好なオン電圧を得ることができる。
【００４１】
また上記のように良好なオン電圧を得ることができるため、裏面電極１４の形成後に、裏面電極１４と半導体基板２０のオーミック接触を良好にするための熱処理を行なう必要がない。このため、この熱処理により半導体基板２０に反りが生じることもない。
【００４２】
またチタン層１１上にニッケル層１２が形成されているため、モジュールへの組み付けにおいて裏面側を接続する際にニッケル層１２が半田の役割をなし、良好な接続を得ることができる。また酸化しやすいニッケル層１２上に金層１３が形成されているため、ニッケル層１２の酸化を防止することができる。
【００４３】
また図５および図６の工程で研磨により半導体基板２０の厚みを１５０μｍ以下とすることで、絶縁ゲート型電界効果トランジスタ部および還流ダイオードのオン電圧をさらに良好にすることができる。
【００４４】
またライフタイムコントロールの処理を行なうことにより、半導体基板２０中に結晶欠陥（「再結合中心」または「ライフタイム制御領域」と呼ぶこともある）が形成され、半導体基板２０中のキャリアのライフタイム（寿命）を制御することができるため、スイッチング特性を良好なものにすることができる。
【００４５】
また図７に示すｐ型不純物のイオン注入および図８に示すｎ型不純物のイオン注入のそれぞれを加速電圧２５ｋｅＶ以上２００ｋｅＶ以下の範囲で変えることで、第２主面２０ｂから深さ方向へ向かって不純物の濃度勾配を制御することができる。これにより、絶縁ゲート型電界効果トランジスタ部および還流ダイオードのオン電圧を改善することができる。
【００４６】
また図８の工程で裏面電極１４の形成前にレーザーアニールで熱処理することができるため裏面電極１４の融点以上の温度に加熱することができる。これにより、第２主面２０ｂのごく表面（第２主面２０ｂから１．０μｍ以下の深さ）のみに高濃度のｐ型不純物およびｎ型不純物を活性化でき、ｐ型コレクタ領域９およびｎ型カソード領域１０を形成するのに必要な不純物の量を低減することができる。
【００４７】
特に、図２に示すように、ｐ型不純物のピーク濃度を３．０×１０19ｃｍ-3以上にすることにより、ｐ型コレクタ領域９と裏面電極１４とに良好なオーミック接触が形成され、絶縁ゲート型電界効果トランジスタ部の導通時のオン電圧の増加を防止することができる。
【００４８】
またｐ型コレクタ領域９のｐ型不純物とｎ型カソード領域１０のｎ型不純物とを同じ熱処理（たとえばレーザーアニール）で活性化させることにより、別々に熱処理する場合よりも熱処理工程を省略することができ、製造工程の簡略化を図ることができる。
【実施例１】
【００４９】
本願発明者らは、裏面電極１４の材質・構成の違いによるオン電圧の違いについて調べた。以下、そのことについて説明する。
【００５０】
裏面電極以外の製造工程を上記の実施の形態と同一にし、裏面電極１４を以下の（１）〜（３）の各々の材質・構成とした逆導通ＩＧＢＴを準備した。
【００５１】
（１）半導体基板２０の第２主面２０ｂ側からチタン層、ニッケル層および金層を順次形成した裏面電極（Ｔｉ／Ｎｉ／Ａｕ）。
【００５２】
（２）半導体基板２０の第２主面２０ｂ側からアルミニウム層、チタン層、ニッケル層および金層を順次形成した裏面電極（Ａｌ／Ｔｉ／Ｎｉ／Ａｕ）。
【００５３】
（３）半導体基板２０の第２主面２０ｂ側からアルミニウムとシリコンとの化合物層、チタン層、ニッケル層および金層を順次形成した裏面電極（ＡｌＳｉ／Ｔｉ／Ｎｉ／Ａｕ
）。
【００５４】
これらの逆導通ＩＧＢＴに同一の測定条件で定格電流を、絶縁ゲート型電界効果トランジスタ部にて導通させるときのオン電圧（ＶCE(sat)）、および還流ダイオードにて導通させるときのオン電圧（ＶF）を比較した結果を表１に示す。
【００５５】
【表１】
0005645899.tif 000002
【００５６】
表１の結果より、絶縁ゲート型電界効果トランジスタ部のエミッタ電極８とゲート電極５との間に１５Ｖのゲート電圧ＶGEを印加したとき、裏面電極１４がＴｉ／Ｎｉ／Ａｕの材質・構成では、他の２種類の裏面電極の材質・構成よりもＶCE(sat)とＶFの和が低く良好になっており、特にＶFが優れていることが分かった。
【００５７】
さらに、裏面電極１４をＴｉ／Ｎｉ／Ａｕにした場合、表１に示すように、裏面電極１４の形成後にオーミック接触を良好にするための熱処理を行なう場合と行なわない場合とで、ＶCE(sat)とＶFとに殆ど差がないことがわかった。つまり、裏面電極１４を形成した後に上記の熱処理を行なわなくともチタンとシリコンとの界面で良好なオーミック接触を実現できることが分かった。これにより、裏面電極１４の形成前にライフタイムコントロール後の熱処理を加えることができ、反りの問題を解決できることが分かった。
【００５８】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５９】
本発明は、絶縁ゲート型バイポーラトランジスタと還流ダイオードとを有する半導体装置およびその製造方法に特に有利に適用され得る。
【符号の説明】
【００６０】
１  ｎ-半導体層、２  ｐ型ベース領域（アノード領域）、３  ｎ+エミッタ領域、４  トレンチ、５  トレンチゲート電極、６  ゲート絶縁層、７  絶縁層、８  エミッタ電極、９  ｐ型コレクタ領域、１０  ｎ型カソード領域、１１  チタン層、１２  ニッケル層、１３  金層、１４  裏面電極、２０  半導体基板、２０ａ  第１主面、２０ｂ  第２主面。
【図１】
0005645899.tif 000003
【図２】
0005645899.tif 000004
【図３】
0005645899.tif 000005
【図４】
0005645899.tif 000006
【図５】
0005645899.tif 000007
【図６】
0005645899.tif 000008
【図７】
0005645899.tif 000009
【図８】
0005645899.tif 000010